(57)【要約】【課題】両センサの端部間に隙間が生じているか否かを確実かつ容易に認識させる。【解決手段】端部１２ａ，１２ｂを接合させ、かつ端部１３ａ，１３ｂを接合させた閉状態において環状をなすように構成されて導線Ｘを流れる電流の電流値を検出するセンサ１１ａ，１１ｂと、センサ１１ａ，１１ｂからのセンサ信号に基づいて電流値を測定する電流測定部３１と、センサ１１ａの端部１２ａに配設された電極２２ａと、電極２２ａに対して非接触で、かつ電極２２ａに対向するようにセンサ１１ｂの端部１２ｂに配設された電極２２ｂと、電極２２ａ，２２ｂ間に交流定電圧を供給して、交流定電圧の電圧値、電極２２ａ，２２ｂを流れる電流の電流値、およびその電流と電圧との位相差に基づいて電極２２ａ，２２間の静電容量を測定する容量測定部３２と、測定された静電容量が基準範囲外のときにセンサ１１ａ，１１ｂが開状態と報知する制御部３７とを備えている。【選択図】図１
2013088217.tif 000002
【特許請求の範囲】
【請求項１】
各々の端部を接離可能に構成されると共に当該各端部を互いに接合させた閉状態において環状をなすように構成されて測定対象体を取り囲んで当該環状をなした状態において当該測定対象体についての第１の電気的パラメータを検出するための一対のセンサと、当該一対のセンサから出力されるセンサ信号に基づいて前記第１の電気的パラメータを測定する第１の測定部とを備えたクランプ式の測定装置であって、
前記両センサの一方における両端部の一方に配設された第１の電極と、
少なくとも前記両センサが閉状態のときに前記第１の電極に対して非接触で、かつ当該第１の電極に対向するように当該両センサの他方における両端部の一方に配設された第２の電極と、
前記両電極間に開閉状態検出用信号を供給すると共に、当該両電極間を流れる電流の電流値、当該両電極間に生じる電圧の電圧値、および当該両電極間を流れる電流と当該両電極間に生じる電圧との位相差のうちの少なくとも１つに基づいて求められる第２の電気的パラメータを測定する第２の測定部と、
前記第１の測定部による前記第１の電気的パラメータの測定処理、および前記第２の測定部による前記第２の電気的パラメータの測定処理を制御すると共に、測定された前記第２の電気的パラメータが当該第２の電気的パラメータに対応する基準範囲外の値のときに前記両センサが開状態であると報知する第１の報知処理、および前記測定された第２の電気的パラメータが当該第２の電気的パラメータに対応する基準範囲内の値のときに前記両センサが閉状態であると報知する第２の報知処理の少なくとも一方の処理を実行する処理部とを備えている測定装置。
【請求項２】
前記両センサのうちの少なくとも一方は、前記環状をなした状態における当該両センサの外周側に位置する軸部を回動中心として回動可能に構成され、
前記両電極は、前記両センサにおける前記両端部のうちの前記軸部からより離間している側の端部に配設されている請求項１記載の測定装置。
【請求項３】
前記両センサ部は、絶縁性材料で形成されたケーシング内に磁気コアおよび巻線が収容されて構成され、
前記両電極は、前記磁気コアおよび前記巻線と共に前記ケーシング内にそれぞれ収容されている請求項１または２記載の測定装置。
【請求項４】
前記制御部は、前記第１の測定部に前記第１の電気的パラメータの測定処理を実行させているときにだけ前記第２の測定部に前記第２の電気的パラメータの測定処理を実行させる請求項１から３のいずれかに記載の測定装置。
【発明の詳細な説明】
【技術分野】
【０００１】
本発明は、測定対象体を取り囲んで環状をなした状態において測定対象体についての電気的パラメータ（電流、電圧および抵抗など）を検出するための一対のセンサを備えたクランプ式の測定装置に関するものである。
【背景技術】
【０００２】
この種の測定装置として、出願人は、特開昭６３−３６１５３号公報にクランプ式電流計を開示している。このクランプ式電流計は、各々が半円環状に形成された一対の検出部を備え、両検出部が保持部材としての一対のコアカバー内にそれぞれ収容され構成されている。また、両検出部は、コア、およびコアの周囲に巻回された巻線を備えて構成されている。この場合、この種のクランプ式電流計では、両検出部の各々の端部を接離可能に構成されると共に、各端部を互いに当接させた閉状態において環状をなすように構成されている。
【０００３】
このクランプ式電流計によって、例えば導線を流れる電流を測定する際には、まず、レバー操作によって両検出部の各々の端部を離間させる（開状態に操作する）。次いで、両検出部の端部間に生じた隙間を通して導線を両検出部の間に位置させる。この状態において、レバー操作を停止することにより、両検出部におけるコアおよび巻線からなる環状のセンサが導線の周囲に形成される。この後、導線を流れる電流に起因して両検出部の巻線に生じる誘導電流を測定することにより、導線を流れる電流の電流値が測定される。
【先行技術文献】
【特許文献】
【０００４】
【特許文献１】特開昭６３−３６１５３号公報（第１−４頁、第１−８図）
【発明の概要】
【発明が解決しようとする課題】
【０００５】
ところが、出願人が開示しているクランプ式電流計には、以下の改善すべき課題がある。すなわち、出願人が開示しているクランプ式電流計では、電流値の測定に際して、両検出部を開状態に操作することで両検出部の端部間に導線等の測定対象体を通過させるための隙間を生じさせ、閉状態に操作することで、測定対象体の周囲に環状のセンサを形成する構成が採用されている。しかしながら、このような構成が採用されたクランプ式電流計では、開状態から閉状態に操作したときに、両検出部の端部間に誤って異物が挟み込まれて両検出部が完全な閉状態とはならず、両検出部の端部間に隙間が生じた状態となることがある。
【０００６】
この場合、両検出部の間に大きな異物が挟み込まれたときには、隙間が生じているのを認識できる可能性があるが、両検出部間に小さな異物が挟み込まれたときには、隙間が生じているのを認識するのが困難となる。したがって、閉状態に操作したときに両検出部の端部間に小さな異物を挟み込んでしまったときには、実際には、異物の挟み込みに起因して両検出部の間に小さな隙間が生じているにも拘わらず、両検出部が完全な閉状態となっていると思い込んで測定処理を開始してしまうおそれがある。また、両端部間に挟み込まれた異物が大きい場合においても、利用者が異物の挟み込みに気付かないときには、測定処理が開始されてしまう。このように、両検出部の端部間に異物の挟み込み等に起因する隙間が生じた状態では、測定対象体を流れる電流の電流値を正確に測定することができないため、隙間が生じた状態において測定処理が開始される事態を回避するのが好ましい。
【０００７】
本発明は、かかる改善すべき課題に鑑みてなされたものであり、両センサの端部間に隙間が生じているか否かを確実かつ容易に認識させ得る測定装置を提供することを主目的とする。
【課題を解決するための手段】
【０００８】
上記目的を達成すべく請求項１記載の測定装置は、各々の端部を接離可能に構成されると共に当該各端部を互いに接合させた閉状態において環状をなすように構成されて測定対象体を取り囲んで当該環状をなした状態において当該測定対象体についての第１の電気的パラメータを検出するための一対のセンサと、当該一対のセンサから出力されるセンサ信号に基づいて前記第１の電気的パラメータを測定する第１の測定部とを備えたクランプ式の測定装置であって、前記両センサの一方における両端部の一方に配設された第１の電極と、少なくとも前記両センサが閉状態のときに前記第１の電極に対して非接触で、かつ当該第１の電極に対向するように当該両センサの他方における両端部の一方に配設された第２の電極と、前記両電極間に開閉状態検出用信号を供給すると共に、当該両電極間を流れる電流の電流値、当該両電極間に生じる電圧の電圧値、および当該両電極間を流れる電流と当該両電極間に生じる電圧との位相差のうちの少なくとも１つに基づいて求められる第２の電気的パラメータを測定する第２の測定部と、前記第１の測定部による前記第１の電気的パラメータの測定処理、および前記第２の測定部による前記第２の電気的パラメータの測定処理を制御すると共に、測定された前記第２の電気的パラメータが当該第２の電気的パラメータに対応する基準範囲外の値のときに前記両センサが開状態であると報知する第１の報知処理、および前記測定された第２の電気的パラメータが当該第２の電気的パラメータに対応する基準範囲内の値のときに前記両センサが閉状態であると報知する第２の報知処理の少なくとも一方の処理を実行する処理部とを備えている。
【０００９】
なお、本発明における「環状」とは、測定対象体を取り囲んだときに閉じた形状であることを意味し、この「環状」には、その平面視の形状として、円形状、楕円状、矩形状および多角形状など任意の形状がこれに含まれる。
【００１０】
また、請求項２記載の測定装置は、請求項１記載の測定装置において、前記両センサのうちの少なくとも一方は、前記環状をなした状態における当該両センサの外周側に位置する軸部を回動中心として回動可能に構成され、前記両電極は、前記両センサにおける前記両端部のうちの前記軸部からより離間している側の端部に配設されている。
【００１１】
さらに、請求項３記載の測定装置は、請求項１または２記載の測定装置において、前記両センサ部は、絶縁性材料で形成されたケーシング内に磁気コアおよび巻線が収容されて構成され、前記両電極は、前記磁気コアおよび前記巻線と共に前記ケーシング内にそれぞれ収容されている。
【００１２】
また、請求項４記載の測定装置は、請求項１から３のいずれかに記載の測定装置において、前記制御部は、前記第１の測定部に前記第１の電気的パラメータの測定処理を実行させているときにだけ前記第２の測定部に前記第２の電気的パラメータの測定処理を実行させる。
【発明の効果】
【００１３】
請求項１記載の測定装置によれば、測定された第２の電気的パラメータが第２の電気的パラメータに対応する基準範囲外の値のときに両センサが開状態であると報知する第１の報知処理、および測定された第２の電気的パラメータが第２の電気的パラメータに対応する基準範囲内の値のときに両センサが閉状態であると報知する第２の報知処理を実行することにより、第１の報知処理を実行する構成においては、両センサの端部間に異物等が挟み込まれて端部間に隙間が生じているときに、その旨が報知され、第２の報知処理を実行する構成においては、両センサの端部間に異物等が挟み込まれていないとき（両端部間に隙間が生じていないとき）に、その旨が報知されるため、この種の測定装置の操作に不慣れな利用者に対しても、報知の有無や、報知の内容に基づき、両センサの端部間に隙間が生じているか否か（両センサが完全な閉状態となっているか否か）を確実かつ容易に認識させることができる。これにより、両センサが不完全な閉状態のまま測定された不正確な測定結果が取得される事態を確実に回避することができる。
【００１４】
請求項２記載の測定装置によれば、両センサにおける両端部のうちの軸部からより離間している側の端部に配置した第１の電極および第２の電極を対象として第２の測定部が第２の電気的パラメータを測定することにより、軸部により近い側の両端部に第１の電極および第２の電極を配置して、両電極を対象として第２の電気的パラメータを測定する構成と比較して、両端部の間に異物等を挟み込んだ状態（不完全な閉状態）における第１の電極および第２の電極の間の距離と、両端部の間に異物等を挟み込んでいない状態（完全な閉状態）における第１の電極および第２の電極の間の距離との差が大きいため、不完全な閉状態において測定される第２の電気的パラメータと、完全な閉状態において測定される第２の電気的パラメータとの差を十分に大きくすることができる結果、両センサが不完全な閉状態および完全な閉状態のいずれであるかを確実に判定することができる。
【００１５】
請求項３記載の測定装置によれば、磁気コアおよび巻線と共に第１の電極および第２の電極をケーシング内にそれぞれ収容したことにより、ケーシングの外に第１の電極および第２の電極を設ける構成とは異なり、測定対象体のクランプ時に第１の電極および第２の電極が邪魔となる事態を回避することができる。
【００１６】
請求項４記載の測定装置によれば、第１の測定部に第１の電気的パラメータの測定処理を実行させているときにだけ第２の測定部に第２の電気的パラメータの測定処理を実行させることにより、第２の電気的パラメータを無用に測定する時間をなくすことができるため、第２の電気的パラメータの測定に際して第２の測定部によって消費される電力を充分に低減することができる。
【図面の簡単な説明】
【００１７】
【図１】電流測定装置１の構成図である。
【図２】電流測定装置１におけるセンサ１１ａ，１１ｂの断面図である。
【図３】図２におけるＡ−Ａ線断面図であって、センサ１１ａ，１１ｂが閉状態の図である。
【図４】図２におけるＡ−Ａ線断面図であって、センサ１１ａ，１１ｂが不完全な閉状態の図である。
【発明を実施するための形態】
【００１８】
以下、測定装置の実施の形態について、添付図面を参照して説明する。
【００１９】
図１に示す電流測定装置１は、クランプ式の測定装置の一例であって、測定対象体としての導線Ｘ等を流れる電流の電流値（「第１の電気的パラメータ」の一例）を導線Ｘに対して非接触で測定可能に構成されている。また、この電流測定装置１は、クランプ部２および本体部３を備えて構成されている。
【００２０】
クランプ部２は、平面視略半円状に形成されたセンサ１１ａ，１１ｂ（「一対のセンサ」の一例：以下、これらを区別しないときには「センサ１１」ともいう）を備えて構成されている。この場合、クランプ部２は、後述する開閉操作によって両センサ１１の先端部１２ａ，１２ｂ同士（後述するコイル部２１ａ，２１ｂの先端部同士）、および基端部１３ａ，１３ｂ同士（後述するコイル部２１ａ，２１ｂの基端部同士）を互いに接離可能に構成されている。また、クランプ部２は、先端部１２ａ，１２ｂ同士および基端部１３ａ，１３ｂ同士を互いに当接させた閉状態において環状をなすように構成されて、導線Ｘを取り囲んで環状をなした状態（導線Ｘをクランプした状態）において導線Ｘに流れる電流の電流値に対応する検出信号（センサ信号）を出力可能に構成されている。
【００２１】
また、図１，２に示すように、センサ１１ａは、コイル部２１ａおよび開閉状態判定用電極２２ａを備え、これらがセンサケース２３ａ内に収容されて構成されている。さらに、センサ１１ｂは、コイル部２１ｂおよび開閉状態判定用電極２２ｂを備え、これらがセンサケース２３ｂ内に収容されて構成されている。この場合、コイル部２１ａ，２１ｂ（以下、これらを区別しないときには、「コイル部２１」ともいう）は、磁気コア、および磁気コアの周囲に巻回された巻線（いずれも図示せず）をそれぞれ備えて構成されている。また、センサケース２３ａ，２３ｂは、「絶縁性材料で形成されたケーシング」の一例であって、本例では、一例として、絶縁性樹脂材料で形成されている。
【００２２】
さらに、本例の電流測定装置１では、センサ１１ｂのセンサケース２３ｂが本体部３の本体ケース（図示せず）と一体形成されている。また、この電流測定装置１では、センサ１１ａのセンサケース２３ａにおける基端部が本体ケースの内部に収容されると共に、その基端部に挿通されたピン（「環状をなした状態における両センサの外周側に位置する軸部」の一例：図示せず）の中心Ｏを回動中心としてセンサ１１ｂおよび本体部３に対して矢印Ａの向き（両センサ１１が開状態となる向き）で回動可能に本体ケースに取り付けられている（「両センサのうちの一方」が「軸部」を回動中心として回動可能に構成された構成の例）。
【００２３】
なお、実際には、中心Ｏを回動中心としてセンサ１１ａを回動させるための（両センサ１１ａ，１１ｂを開閉操作するための）レバーや、センサ１１ａを矢印Ａの向きとは逆向き（両センサ１１が閉状態となる向き）に付勢してセンサ１１ａの先端部１２ａおよび基端部１３ａをセンサ１１ｂの先端部１２ｂおよび基端部１３ｂにそれぞれ押し付けるバネ（付勢部材）を備えているが、これらについての詳細な説明および図示を省略する。
【００２４】
また、開閉状態判定用電極２２ａは、「第１の電極」に相当し、図２に示すように、その内径がコイル部２１ａの外径よりも大きい環状に形成されて、図１，３，４に示すように、内側にコイル部２１ａを挿通させるようにしてセンサ１１ａにおける先端部１２ａに配設されている。さらに、開閉状態判定用電極２２ｂは、「第２の電極」に相当し、図２に示すように、その内径がコイル部２１ｂの外径よりも大きい環状に形成されて、図１，３，４に示すように、内側にコイル部２１ｂを挿通させるようにしてセンサ１１ｂにおける先端部１２ｂに配設されている。つまり、この電流測定装置１では、開閉状態判定用電極２２ａ，２２ｂ（以下、これらを区別しないときには「開閉状態判定用電極２２」ともいう）が、両センサ１１における上記のピン（軸部）からより離間している側の端部に配設されている。
【００２５】
この場合、この電流測定装置１では、図３に示すように、両センサ１１が閉状態のとき（すなわち、センサ１１ａの先端部１２ａとセンサ１１ｂの先端部１２ｂとが当接状態となって両センサ１１が環状をなしているとき）に、両開閉状態判定用電極２２が距離Ｌａだけ離間して互いに非接触状態で対向するようにそれぞれ配置されている。また、この電流測定装置１では、図４に示すように、両センサ１１が開状態となったとき（すなわち、センサ１１ａの先端部１２ａとセンサ１１ｂの先端部１２ｂとの間に隙間Ｓが生じたとき）に、両開閉状態判定用電極２２が上記の距離Ｌａよりも長い距離Ｌｂだけ離間させられる。
【００２６】
一方、本体部３は、図１に示すように、電流測定部３１、容量測定部３２、操作部３３、測定結果表示部３４、インジケータ３５、記憶部３６および制御部３７を備え、これらが、上記の本体ケース内に収容されて構成されている。電流測定部３１は、「第１の測定部」に相当し、両コイル部２１の巻線がそれぞれ接続されると共に、制御部３７の制御に従い、導線Ｘを流れる電流に起因して両コイル部２１の巻線に生じる誘導電流（「センサ信号」の一例）を測定することにより、導線Ｘを流れる電流の電流値を測定する。
【００２７】
容量測定部３２は、「第２の測定部」に相当し、上記の両開閉状態判定用電極２２がそれぞれ接続されている。この容量測定部３２は、制御部３７の制御に従い、一例として、両開閉状態判定用電極２２の間に「開閉状態検出用信号」としての交流定電圧を供給すると共に、両開閉状態判定用電極２２の間を流れる電流の電流値を測定し、供給した交流定電圧の電圧値、測定した電流値、および供給した交流定電圧の電圧と測定した電流との位相差に基づいて、両開閉状態判定用電極２２間の静電容量（「第２の電気的パラメータ」の一例）を測定する。操作部３３は、電流測定部３１による電流値の測定を開始／停止するスタート／ストップスイッチや、測定結果の表示を保持させるホールドスイッチ等の各種操作スイッチ（図示せず）を備え、スイッチ操作に応じた操作信号を制御部３７に出力する。
【００２８】
測定結果表示部３４は、制御部３７の制御に従い、電流測定部３１の測定結果を表示する。インジケータ３５は、一例として、測定結果表示部３４の近傍に配置されて、後述するように、両センサ１１（両コイル部２１）が開状態のときに、制御部３７によって点灯（または、点滅）させられ、それ以外のときには、消灯状態が維持される。記憶部３６は、制御部３７の動作プログラムや開閉状態判定用データＤなどを記憶する。この場合、開閉状態判定用データＤは、両センサ１１（コイル部２１）の先端部１２ａ，１２ｂ同士が正常に当接した状態（両センサ１１が正常に閉状態となって環状をなした状態：両開閉状態判定用電極２２の離間距離が距離Ｌａの状態）において容量測定部３２によって測定される両開閉状態判定用電極２２の間の静電容量の範囲（「第２の電気的パラメータに対応する基準範囲」の一例）を特定可能な情報で構成されている。
【００２９】
具体的には、閉状態の両センサ１１における両開閉状態判定用電極２２の間の距離Ｌａには、公差の範囲内で小さなばらつき（個体差）が存在する。したがって、この電流測定装置１では、公差の範囲内で最も長い距離Ｌａに応じて、上記の「基準範囲」の下限値が規定され、容量測定部３２によって下限値を下回る静電容量が測定されたときに、「測定された静電容量が基準範囲外の値である」と判定すると共に、容量測定部３２によって下限値以上の静電容量が測定されたときに、「測定された静電容量が基準範囲内の値である」と判定する構成が採用されている。より具体的には、一例として、電流測定装置１の製造者が複数台の良品の電流測定装置１を対象として「閉状態における両開閉状態判定用電極２２の間の静電容量」を測定し、測定された各値のうちの最も低い値を、各電流測定装置１に共通の「基準範囲の下限値」として規定する。
【００３０】
なお、基準範囲の上限については、「下限値以上」として上限値を定めないように規定することもできるし、「下限値以上の値である特定の値」を規定することもできる。また、「基準範囲の下限値」に関しても、各電流測定装置１に共通の値を規定する上記の例に限定されず、各電流測定装置１毎に「閉状態における両開閉状態判定用電極２２の間の静電容量」を測定し、測定した値を、その電流測定装置１に固有の「基準範囲の下限値」として規定する構成を採用することもできる。
【００３１】
制御部３７は、「処理部」に相当し、電流測定装置１を総括的に制御する。具体的には、制御部３７は、電流測定部３１による電流値の測定処理、および容量測定部３２による静電容量の測定処理を制御する。また、制御部３７は、容量測定部３２によって測定された静電容量が、開閉状態判定用データＤに基づいて特定される静電容量の範囲外のとき（この例では、開閉状態判定用データＤに基づいて特定される静電容量の範囲の下限値を下回ったとき：「測定された第２の電気的パラメータが当該第２の電気的パラメータに対応する基準範囲外の値のとき」との状態の一例）に、インジケータ３５を点灯（または、点滅）させて、両センサ１１が開状態であると報知する処理（「第１の報知処理」の一例）を実行する（「少なくとも一方の処理」が「第１の報知処理」の構成の例）。
【００３２】
この電流測定装置１を用いて導線Ｘに流れる電流の電流値を測定する際には、まず、クランプ部２によって導線Ｘをクランプする。具体的には、まず、レバー操作によってピンを中心としてセンサ１１ａをセンサ１１ｂに対して図１に示す矢印Ａの向きに回動させて、両センサ１１の先端部１２ａ，１２ｂ同士および基端部１３ａ，１３ｂ同士を互いに離間させる（両センサ１１を開状態に操作する）。次いで、先端部１２ａ，１２ｂ間に形成された隙間を通して、導線Ｘを両センサ１１の間に位置させた後に、レバー操作を停止する。この際には、バネの付勢力（弾性復帰力）によってセンサ１１ａがセンサ１１ｂに対して図１に示す矢印Ａの向きとは逆向きに回動させられて、両センサ１１の先端部１２ａ，１２ｂ同士および基端部１３ａ，１３ｂ同士が互いに当接して、両センサ１１が閉状態（環状をなした状態）となる。これにより、クランプ部２による導線Ｘのクランプが完了し、導線Ｘの周囲に、両センサ１１における磁気コアおよび巻線からなる環状のセンサが形成される。
【００３３】
次いで、制御部３７は、操作部３３のスタート／ストップスイッチが操作されたときに、電流測定部３１を制御して、導線Ｘを流れる電流の測定処理を開始させる。この際に、電流測定部３１は、両センサ１１から出力される検出信号に基づいて、導線Ｘを流れる電流の電流値を測定する。具体的には、電流測定部３１は、導線Ｘを流れる電流に起因して両センサ１１（両コイル部２１）の巻線に生じる誘導電流を測定すると共に、その測定結果に基づき、導線Ｘを流れる電流の電流値を測定して、測定結果を制御部３７に出力する。一方、制御部３７は、電流測定部３１に対して電流値の測定処理を実行させているときにだけ容量測定部３２を制御して静電容量の測定処理を実行させる。具体的には、制御部３７は、一例として、電流測定部３１から測定結果が出力されたときに、その測定結果（この例では、電流値）を測定結果表示部３４に表示させると共に、容量測定部３２を制御して、両開閉状態判定用電極２２の間に生じる静電容量の測定処理を開始させ、電流測定部３１による電流値の測定処理が停止するまで（一例として、操作部３３のスタート／ストップスイッチが操作によって測定処理の終了を指示されるまで）、容量測定部３２による静電容量の測定処理を継続して実行させる。
【００３４】
この際に、前述したクランプ部２による導線Ｘのクランプ時に、両センサ１１（コイル部２１）の先端部１２ａ，１２ｂ間に異物等の挟み込みが生じることなく、図３に示すように、先端部１２ａ，１２ｂが互いに当接した状態となっているとき（両センサ１１が完全な閉状態となっているとき）には、センサ１１ａの先端部１２ａに配設された開閉状態判定用電極２２ａと、センサ１１ｂの先端部１２ｂに配設された開閉状態判定用電極２２ｂとの離間距離が距離Ｌａとなる。このため、両センサ１１が完全な閉状態となっているときには、容量測定部３２によって測定される両開閉状態判定用電極２２の間の静電容量が、開閉状態判定用データＤに基づいて特定される静電容量の範囲内の値（開閉状態判定用データＤに基づいて特定される静電容量の範囲の下限値以上の値）となる。したがって、制御部３７は、インジケータ３５を消灯状態に維持する。これにより、インジケータ３５が消灯状態であることを認識した利用者は、両センサ１１が完全に閉状態となっている（クランプ部２によって導線Ｘを正常にクランプしている）のを認識して、測定結果表示部３４に表示された測定結果に基づき、導線Ｘを流れる電流の電流値を取得する。
【００３５】
一方、クランプ部２による導線Ｘのクランプ時に、例えば、両センサ１１（コイル部２１）の先端部１２ａ，１２ｂ間に異物等の挟み込みが生じて、図４に示すように、先端部１２ａ，１２ｂの間に隙間Ｓが形成された状態となっているとき（両センサ１１が不完全な閉状態となっているとき）には、センサ１１ａの先端部１２ａに配設された開閉状態判定用電極２２ａと、センサ１１ｂの先端部１２ｂに配設された開閉状態判定用電極２２ｂとの離間距離が距離Ｌａよりも長い距離Ｌｂ（距離Ｌａと隙間Ｓとの合計長）となる。このため、両センサ１１が不完全な閉状態となっているときには、容量測定部３２によって測定される両開閉状態判定用電極２２の間の静電容量が、開閉状態判定用データＤに基づいて特定される静電容量の範囲外の値（開閉状態判定用データＤに基づいて特定される静電容量の範囲の下限値を下回る値）となる。したがって、制御部３７は、インジケータ３５を点灯状態に制御する。
【００３６】
これにより、インジケータ３５が点灯状態であることを認識した利用者は、両センサ１１が完全な閉状態とはなっていない（クランプ部２による導線Ｘのクランプが不完全である）のを認識する。この結果、両先端部１２ａ，１２ｂの間に挟み込まれた異物等が利用者によって除去されて、両センサ１１（両コイル部２１）が完全な閉状態となるように、導線Ｘがクランプされる。また、異物が除去されて両センサ１１（両コイル部２１）が完全な閉状態となったときには、容量測定部３２によって測定される静電容量が開閉状態判定用データＤに基づいて特定される静電容量の範囲内の値（開閉状態判定用データＤに基づいて特定される静電容量の範囲の下限値以上の値）となる結果、制御部３７は、インジケータ３５を消灯状態に制御する。これにより、インジケータ３５が消灯状態であることを認識した利用者は、両センサ１１が完全に閉状態となっている（クランプ部２によって導線Ｘを正常にクランプしている）のを認識して、測定結果表示部３４に表示された測定結果に基づき、導線Ｘを流れる電流の電流値を取得する。この後、制御部３７は、操作部３３のスタート／ストップスイッチが操作されて、電流値の測定処理の終了を指示されたときに、電流測定部３１および容量測定部３２を制御して電流値の測定処理および静電容量の測定処理を停止させる。
【００３７】
このように、この電流測定装置１によれば、容量測定部３２によって測定された両開閉状態判定用電極２２間の静電容量が、両開閉状態判定用電極２２間の静電容量に対応する基準範囲外の値のとき（この例では、測定された静電容量が、開閉状態判定用データＤに基づいて特定される基準範囲を下回ったとき）に、両センサ１１が開状態であると報知する「第１の報知処理（本例では、インジケータ３５の点灯（または、点滅））」を実行することにより、両センサ１１の先端部１２ａ，１２ｂ間に異物等が挟み込まれて先端部１２ａ，１２ｂ間に隙間Ｓが生じているときには、その旨が報知される（この例では、インジケータ３５が点灯または点滅する）ため、この種の測定装置の操作に不慣れな利用者に対しても、報知の有無に基づき、両センサ１１の先端部１２ａ，１２ｂ間に隙間Ｓが生じているか否か（両センサが完全な閉状態となっているか否か）を確実かつ容易に認識させることができる。これにより、両センサ１１が不完全な閉状態のまま測定された不正確な測定結果が取得される事態を確実に回避することができる。
【００３８】
また、この電流測定装置１によれば、両センサ１１における先端部１２ａ，１２ｂおよび基端部１３ａ，１３ｂのうちの回動用のピン（軸部）からより離間している側の先端部１２ａ，１２ｂに配置した開閉状態判定用電極２２ａ，２２ｂを対象として容量測定部３２が静電容量を測定することにより、回動用のピン（軸部）により近い側の基端部１３ａ，１３ｂに「第１の電極（開閉状態判定用電極２２ａ）」および「第２の電極（開閉状態判定用電極２２ｂ）」を配置して、その「第１の電極」および「第２の電極」を対象として「第２の電気的パラメータ（本例では、静電容量）」を測定する構成と比較して、先端部１２ａ，１２ｂの間に異物等を挟み込んだ状態（不完全な閉状態）における開閉状態判定用電極２２ａ（第１の電極）および開閉状態判定用電極２２ｂ（第２の電極）の間の距離と、先端部１２ａ，１２ｂの間に異物等を挟み込んでいない状態（完全な閉状態）における開閉状態判定用電極２２ａ（第１の電極）および開閉状態判定用電極２２ｂ（第２の電極）の間の距離との差が大きいため、不完全な閉状態において測定される「第２の電気的パラメータ」と、完全な閉状態において測定される「第２の電気的パラメータ」との差を十分に大きくすることができる結果、両センサ１１が不完全な閉状態および完全な閉状態のいずれであるかを確実に判定することができる。
【００３９】
さらに、磁気コアおよび巻線と共に開閉状態判定用電極２２ａ，２２ｂをセンサケース２３ｂ，２３ａ内にそれぞれ収容したことにより、センサケース２３ｂ，２３ａの外に開閉状態判定用電極２２ａ，２２ｂを設ける構成とは異なり、導線Ｘのクランプ時に開閉状態判定用電極２２ａ，２２ｂが邪魔となる事態を回避することができる。
【００４０】
また、この電流測定装置１によれば、電流測定部３１に電流の測定処理を実行させているときにだけ容量測定部３２に両開閉状態判定用電極２２の間の静電容量の測定処理を実行させることにより、「第２の電気的パラメータ」としての静電容量を無用に測定する時間をなくすことができるため、静電容量を測定に際して容量測定部３２によって消費される電力を充分に低減することができる。
【００４１】
なお、クランプ式の測定装置の構成は、上記の構成に限定されない。例えば、センサ１１が不完全な閉状態のとき（両センサ１１間に隙間Ｓが生じているとき）にインジケータ３５を点灯または点滅させる構成に代えて、センサ１１が完全な閉状態のとき（両センサ１１間に隙間Ｓが生じていないとき）、すなわち、容量測定部３２によって測定された両開閉状態判定用電極２２間の静電容量が、両開閉状態判定用電極２２間の静電容量に対応する基準範囲内の値のとき（この例では、測定された静電容量が、開閉状態判定用データＤに基づいて特定される基準範囲内の値のとき：一例として、基準範囲の下限値以上の値のとき：「測定された第２の電気的パラメータが第２の電気的パラメータに対応する基準範囲内の値のとき」の一例）に、制御部３７が、インジケータ３５（または、インジケータ３５とは別個に設けられたインジケータ）を点灯または点滅させる処理（「第２の報知処理」の一例）を実行する構成を採用することができる。
【００４２】
このような構成を採用することにより、両センサ１１の先端部１２ａ，１２ｂ間に異物等が挟み込まれていないとき（先端部１２ａ，１２ｂ間に隙間Ｓが生じていないとき）には、その旨が報知される（この例では、インジケータ３５、または、インジケータ３５とは別個に設けられたインジケータが点灯または点滅する）ため、この種の測定装置の操作に不慣れな利用者に対しても、報知の有無に基づき、両センサ１１の先端部１２ａ，１２ｂ間に隙間Ｓが生じているか否か（両センサが完全な閉状態となっているか否か）を確実かつ容易に認識させることができる。これにより、両センサ１１が不完全な閉状態のまま測定された不正確な測定結果が取得される事態を確実に回避することができる。
【００４３】
また、センサ１１が不完全な閉状態のときにインジケータ３５を点灯または点滅させ、かつ、センサ１１が完全な閉状態のときにインジケータ３５を消灯させると共にインジケータ３５とは異なるインジケータ（図示せず）を点灯または点滅させる構成（「第１の報知処理」および「第２の報知処理」の双方を実行する構成）を採用することもできる。
【００４４】
さらに、「第１の報知処理」および「第２の報知処理」については、インジケータの点灯や点滅による報知に限定されず、センサ１１の状態をインジケータ３５にメッセージ表示させることで報知する処理や、警告音等の放音によって報知する処理を実行することができる。また、「開閉状態検出用信号」に関しても、交流定電圧に限定されず、測定すべき「第２の電気的パラメータ」に応じて、交流定電流、直流定電圧および直流定電流等の各種電気的信号を「第１の電極」および「第２の電極」の間に供給する構成を採用することができる。また、「第２の電気的パラメータ」に関しては、上記の電流測定装置１のような静電容量に限定されず、電流、電圧、位相差のうちの少なくとも１つに基づいて求められる各種の電気的パラメータ（例えば、電流値、電圧値、位相差、および両開閉状態判定用電極２２の間の静電容量を充電する充電時間）を「第２の電気的パラメータ」として測定することができる。
【００４５】
この場合、「第２の電気的パラメータ」として「電流値」を測定する構成（両開閉状態判定用電極２２の間に「開閉状態検出用信号」としての交流定電圧を印加した状態において両開閉状態判定用電極２２の間を流れる電流の電流値を測定する構成）を採用した場合には、両開閉状態判定用電極２２の間に隙間Ｓが生じていないとき（両センサ１１が閉状態のとき）よりも、両開閉状態判定用電極２２の間に隙間Ｓが生じているとき（両センサ１１が不完全な閉状態のとき：開状態のとき）の方が、小さな電流値が測定される。したがって、予め規定された基準範囲の下限値（上限値については上記の例と同様にして規定してもよいし、規定しなくともよい）を下回る電流値が測定されたとき（「測定された値が基準範囲外のとき」との状態の例）に「第１の報知処理」を実行する構成、および／または、予め規定された基準範囲の下限値以上の電流値が測定されたとき（「測定された値が基準範囲内のとき」との状態の例）に「第２の報知処理」を実行する構成を採用することで、上記の電流測定装置１と同様の効果を奏することができる。
【００４６】
また、「第２の電気的パラメータ」として「電圧値」を測定する構成（両開閉状態判定用電極２２の間に「開閉状態検出用信号」としての交流定電流を供給した状態において両開閉状態判定用電極２２の間に生じる電圧の電圧値を測定する構成）を採用した場合には、両開閉状態判定用電極２２の間に隙間Ｓが生じていないとき（両センサ１１が閉状態のとき）よりも、両開閉状態判定用電極２２の間に隙間Ｓが生じているとき（両センサ１１が不完全な閉状態のとき：開状態のとき）の方が、大きな電圧値が測定される。したがって、予め規定された基準範囲の上限値（下限値については規定してもよいし、規定しなくともよい）を超える電圧値が測定されたとき（「測定された値が基準範囲外のとき」との状態の例）に「第１の報知処理」を実行する構成、および／または、予め規定された基準範囲の上限値以下の電圧値が測定されたとき（「測定された値が基準範囲内のとき」との状態の例）に「第２の報知処理」を実行する構成を採用することで、上記の電流測定装置１と同様の効果を奏することができる。
【００４７】
さらに、「第２の電気的パラメータ」として「位相差」を測定する構成（両開閉状態判定用電極２２の間に「開閉状態検出用信号」としての交流定電圧を印加した状態において両開閉状態判定用電極２２の間を流れる電流の電流値を測定すると共に、測定した電流値と、印加した交流定電圧の電圧値とに基づいて位相差を演算する構成、または、両開閉状態判定用電極２２の間に「開閉状態検出用信号」としての交流定電流を供給した状態において両開閉状態判定用電極２２の間に生じる電圧の電圧値を測定すると共に、測定した電圧値と、供給した交流定電流の電流値とに基づいて電圧および電流の間の位相差を演算する構成）を採用した場合には、両開閉状態判定用電極２２の間に隙間Ｓが生じていないとき（両センサ１１が閉状態のとき）よりも、両開閉状態判定用電極２２の間に隙間Ｓが生じているとき（両センサ１１が不完全な閉状態のとき：開状態のとき）の方が、大きな位相差が測定される。したがって、予め規定された基準範囲の上限値（下限値については規定してもよいし、規定しなくともよい）を超える位相差が測定されたとき（「測定された値が基準範囲外のとき」との状態の例）に「第１の報知処理」を実行する構成、および／または、予め規定された基準範囲の上限値以下の位相差が測定されたとき（「測定された値が基準範囲内のとき」との状態の例）に「第２の報知処理」を実行する構成を採用することで、上記の電流測定装置１と同様の効果を奏することができる。
【００４８】
また、「第２の電気的パラメータ」として「両開閉状態判定用電極２２の間の静電容量を充電する充電時間」を測定する構成（両開閉状態判定用電極２２の間に「開閉状態検出用信号」としての直流定電流を供給した状態において両開閉状態判定用電極２２の間の静電容量を充電するのに要する時間（直流定電流の供給を開始してから両開閉状態判定用電極２２の間の電圧が所定の電圧に達するまでの時間）を測定する構成）を採用した場合には、両開閉状態判定用電極２２の間に隙間Ｓが生じていないとき（両センサ１１が閉状態のとき）よりも、両開閉状態判定用電極２２の間に隙間Ｓが生じているとき（両センサ１１が不完全な閉状態のとき：開状態のとき）の方が、両開閉状態判定用電極２２の間の静電容量を充電するのに要する時間が短くなる。したがって、予め規定された基準範囲の下限値（上限値については規定してもよいし、規定しなくともよい）を下回る充電時間が測定されたとき（両開閉状態判定用電極２２の間の静電容量を充電するのに要する時間が基準範囲の下限値を下回って短いとき：「測定された値が基準範囲外のとき」との状態の例）に「第１の報知処理」を実行する構成、および／または、予め規定された基準範囲の下限値以上の充電時間が測定されたとき（両開閉状態判定用電極２２の間の静電容量を充電するのに要する時間が基準範囲の下限値以上の長い時間のとき：「測定された値が基準範囲内のとき」との状態の例）に「第２の報知処理」を実行する構成を採用することで、上記の電流測定装置１と同様の効果を奏することができる。
【００４９】
さらに、「第１の電気的パラメータ」として導線Ｘを流れる電流を検出する電流測定装置１を例に挙げて説明したが、電流測定装置以外の各種測定装置対して上記の電流測定装置１と同様の構成を適用することもできる。具体的には、「一対のセンサ」によって測定対象体をクランプすると共に測定対象体に検査用の電圧を印加して、その状態において測定対象体を流れる電流を検出して抵抗値を測定する抵抗測定装置や、「一対のセンサ」によって測定対象体をクランプすると共に容量結合を介して非接触でその電圧を検出する電圧測定装置に対しても、上記の電流測定装置１と同様にして開閉状態判定用電極２２ａ，２２ｂを配設することができる。このように構成することにより、前述した電流測定装置１と同様の効果を奏することができる。
【００５０】
また、センサ１１ａ，１１ｂの双方を、環状をなした状態における両センサ１１の外周側に位置するピン（軸部）を回動中心として回動可能に構成することもできる。さらに、クランプ部２に関しては、前述した電流測定装置１のように本体部３と一体的に形成する構成に限定されず、クランプ部２と本体部３とを別体に構成して信号ケーブル等で相互に電気的に接続する構成（図示せず）を採用することもできる。
【符号の説明】
【００５１】
１  電流測定装置
２  クランプ部
３  本体部
１１ａ，１１ｂ  センサ
１２ａ，１２ｂ  先端部
１３ａ，１３ｂ  基端部
２１ａ，２１ｂ  コイル部
２２ａ，２２ｂ  開閉状態判定用電極
２３ａ，２３ｂ  センサケース
３１  電流測定部
３２  容量測定部
３５  インジケータ
３６  記憶部
３７  制御部
Ｌａ，Ｌｂ  距離
Ｄ  開閉状態判定用データ
Ｏ  中心
Ｓ  隙間
Ｘ  導線
【図１】
2013088217.tif 000003
【図２】
2013088217.tif 000004
【図３】
2013088217.tif 000005
【図４】
2013088217.tif 000006